(57)【要約】【課題】空気体循環発電気密容器内に回転動力を起すアール形横羽根を回転主軸に備え主軸を気密容器外に突出し気密容器外で発電機主軸と合せて発電するアール形横羽根付き主軸回転は高圧送風機より気密容器内に高速風速量給気力でアール形羽根内側に当てて回転主軸を回すより多くのアール形横羽根付き回転主軸を回し発電するために気密容器を連結体に構成する気密容器内全個数内高速風速量通気を行う【解決手段】気密容器内に空気体通気に高圧送風機より高速風速量を給気する気密容器連結体内に高速風速量を給気し最後の気密容器排気口と高圧送風機給吸口を通気パイプで結び高圧送風機を回し空気体循環が起きる空気体循環はアール形羽外側を引く力になりアール形羽根付き主軸回転力が強くなる【選択図】図２
2011252489.tif 000002
【特許請求の範囲】
【請求項１】
空気体循環発電は高圧送風機を使用し大量の風速量を起し気密容器内に備えた回転主軸にアール形横羽根を取付アール形羽根内側に空気体循環風速量を当て回転動力を起し外側に設置した発電機主軸と動力回転主軸を合せ発電を行う空気体循環は高圧送風機から排気された空気体は水入り気密容器内を通気し気密容器内アール形羽根回転を起し連結体最後の気密容器排気口と通気パイプで高圧送風機給吸口を結び一定の空気体量で空気体循環を起す方法
気密容器を連結体に構成し気密容器連結体内に高速風速量給気を行い気密容器内回転動力エンジン全数分回転起し気密容器内で起す空気体循環による動力回転発電装置
【発明の詳細な説明】
【技術分野】
【０００１】気密容器内風車回転動力を起し発電する装置
空気体用気密容器を構作し気密容器内に通気で回転する風車を備えて気密容器内で空気体通気循環を起し気密容器内風車により回転動力を起す気密容器内に通気風速を受けるアール形横羽根付き風力回転エンジンを備える
風力を起すターボ高圧送風機より一分間に６ｍ３空気体を気密容器連結体内に給気し気密容器内に備えた風力エンジン全数回転動力を起す気密容器内に起す送風機の風力の追い出しは気密容器内通気循環になる送風機給気口に結び送風機の受給気空気体循環送風機の回転を起すと気密容器内で回転を起すアール形横羽根の内側に空気体が当たり羽根が押されその裏側は空気体循環によりアール形羽根は引かれることになりアール形横羽根回転力が強くなる。送風機より排気空気体積分量は別の気密容器内水面下に排気する水面上に出た空気体積分量は確実に気密容器内に入る風車回転が起き空気体循環を起し発電する装置
【背景技術】
【０００２】現在までに送風機を活用して気密容器内に風車回転エンジンを備え空気体循環にして発電する装置はないと思います
【先行技術文献】
【０００３】空気体循環を起して数多くの発電する連動発電装置
水入り気密容器と気密容器とアール形横羽根付き回転動力力エンジンは構作する
電動送風機・水入り気密容器・気密容器・アール形横羽根付き回転エンジンを準備する
水入り気密容器に水用給排水バルブを備え、給気パイプ口を取付ける排気口を備える
気密容器に給気口・排気口を備えて気密容器を連結にするため、気密容器内にアール形横羽根付き回転エンジンを備えてフタをして気密容器と気密容器で連結体を造る
連結体にすると数多くの回転エンジンが揃うことになります。
電動ターボ高圧送風機よりの排気を水入り気密容器内水面下に排気して水面上に上がった空気体は水面下に戻れず空気圧力になりアール形横羽根付き回転エンジン付き気密容器内に空気体積分量は確実に入り込む装置です。
空気体循環を起すには高圧送風機排気口から水入り気密容器に空気体が排気し同じ容器から回転エンジンを備えた気密容器に入る連結気密容器内を通気して最後の気密容器排気口と高圧送風機給気口を通気用パイプで結び送風機回転を起すと空気体循環が起きるアール形横羽根付き回転動力を起しアール形羽根内側に空気体が当たり押しアール形羽根裏側は空気体循環のため空気体は引かれるからアール形羽根は後ろ引きになり気密容器内回転動力エンジン回転が強くなる
ターボ高圧送風機から排気される空気体積量は一分間に６ｍ３＝送風機排気口直径７ｃｍ−ｍ３一面に対して７ｃｍ径は約２６０倍ｍ×１．５６０ｍ気密容器給気口は８ｃｍ×１５ｃｍ  １２０ｍ２÷７ｃｍ径は３８．４６５ｃｍ＝３．１２倍−１．５６０ｍ÷３．１２＝５００ｍ一分間に５００ｍ速度ｋｍ秒速８．３３ｍの速度で空気体は気密容器内アール形羽根に当たり引かれる。６ｍ３は６０００ｌアール形羽根一回転する風量は約６ｌ。６．０００ｌ÷６ｌ＝一分間に１．０００回転起きる
【特許文献】
【０００４】気密容器内空気体循環を起して数多くの発電機を回し連動に発電を行う発電装置
気密容器内にアール形横羽根付き回転動力を起す回転エンジンを備えて通気口
備えた気密容器と気密容器を数多く連結を行い気密容器内に備えた風力風車回転エンジンを回す気密容器に給気口と排気口を備え次の気密容器給気口連結し続ける
電動ターボ高圧送風機より排気空気体を水入り気密容器内水面下に排気を行い水面上に上がった空気体は気密容器内に給気を確実に行えて空気体循環が起き気密の容器内に備えたアール形羽根付き回転動力エンジン全数に回転が起き気密容器内で風力発電が行える
最後の気密容器排気口とターボ高圧送風機空気体取り入れ口を通気パイプ利用して結び気密容器内に空気体循環が起き空気体は吸い取られアール形羽根裏側が引かれて回転動力エンジンは軽く回る気密容器風力発電が行える空気体循環発電装置
【発明の概要】
【発明が解決しようとする課題】
【０００５】気密容器に空気体給気風力が発電を行うアール形横羽根付きが回転動力を起す
気密容器内において風力発電する回転動力を起す装置
気密容器内に回転動力を起すアール形横羽根付き回転エンジンを備えて空気体風力給気を行い、アール形羽根付き回転エンジン主軸回転を風圧速度で回転を起す
回転主軸を気密容器外に突出し発電機主軸と合せ結び風力発電が行える
空気体循環発電は気密容器を連結し風速度でアール形羽根付き回転動力エンジンを数多く回し、気密容器内だから空気体風圧が起き回転エンジンを回し空気体循環が起きる気密容器内に給気を行う高さ８ｃｍ×巾１５ｃｍ給気口に通気する風速度は秒速８．３ｍ時速にして５０ｋｍ気密容器内に備えたアール形羽根付き回転エンジンを回して空気体循環が起きる
【課題を解決するための手段】
【０００６】気密容器連結体内に空気体通気循環を起す
ターボ高圧送風機を利用し気密容器連結体内に高速給気を行う空気体循環はターボ高圧送風機排気口と気密容器給気口を結び気密容器連結体最後の気密容器排気口をターボ高圧送風機給吸い口に通気パイプを使い結びターボ高圧送風機を回す気密容器連結体内アール形横羽根付き回転動力エンジンは連動回転が起きる
気密容器内に給気空気体はアール形羽根内側に当たり回転を起しアール形羽根裏側は空気体循環起きるために引かれるアール形羽根付き回転エンジンが強く回る図２の２気密容器内アール形横羽根付き先にソフトバンドを取付けて空気漏れを防ぐ
【発明の効果】
【０００７】一台の電動送風機活用で数多くの発電が行える気密容器内の風速を保つ力
気密容器内にアール形横羽根付き回転動力を起す風力回転エンジンを備えターボ高圧送風機から送られる風速量により回転動力が起きる気密容器で回転を起すアール形羽根に当たり押す、空気体循環によりアール形羽根裏側は空気体に引かれて回転動力エンジンの回転が強くなります
高圧送風機の利用の仕方で空気体循環が起き気密容器連結体内回転動力エンジン全数回転が起き空気体循環発電が行える
【図面の簡単な説明】
【０００８】
【図１】平面図
【図２】立体図
【図３】立体側面図
【図４】立体正面図
【図５】予備立体図。水入り気密容器。高圧送風機から送る空気体風速量を確実に気密容器内に送り込む装置・水入り気密容器に入った空気体は戻れないため加圧になり空気体は気密容器内に追い出される。ターボ高圧送風機電圧に負担が少ない
【図６】立体図。縦形連結に行い回転するアール形羽根図  縦形に横形に又はロータリー形に１２×３＝３６組など
【発明を実施するための形態】
【０００９】空気体循環発電を起すには、気密容器内に設置するアール形羽根付き回転動力を起す回転エンジンが必要となる
気密容器と水入り気密容器・アール形横羽根付き回転を起す機材を構作する
ターボ高圧送風機・発電機・ベアリングユニット・空気体循環用通気パイプを準備し組立を行い、ターボ高圧送風機よりの空気体風速量は水入り気密容器内水面下図５の１２に排気し、気密容器内にアール形横羽根付き回転動力を起す回転エンジンを備える水入り気密容器は空気体圧調整弁の役割をする図５の１３より気密容器内に空気体風速量を給気するとアール形羽根付き回転エンジンが回転し次の気密容器連結体に空気体風速量が給気されて最後の気密容器排気口と高圧送風機空気体取り入れ口を通気用パイプで結び空気体循環を起し気密容器連結体内に備えてある回転動力エンジンを全数回転を起し発電機主軸を回す発電を行い電力エネルギーをバッテリに蓄電するか直接使うことができる
空気体風速量を循環を起して発電が行える発電装置
【実施例】
【００１０】実験繰返し体験から
気密容器連結体用基礎を造り櫓を組み立てる気密容器内に備えるアール形横羽根はステンレス板を耳付けをして横羽根アールに曲げて水道ビニール管ＶＰ管を使用するＶＰ管を主軸回転に使うＶＰ管にアール形羽根をビス止めするアール形羽根を定位置に固定するためにアール耳を円形側板に外側からサラビスで固定する気密容器内側との隙間を少なくするアール形羽根内側耳にシリコンソフトバンドを取付空気体漏れをなくす主軸を気密容器内に入れて主軸を気密容器両側に突出しベアリングユニットに定める片側に発電機回転主軸に合せるために少し長くする気密容器に回転動力エンジン備え後外の発電機主軸と回転主軸を合せて置き発電機は自動車用ダイナモー使用ダイナモーとバッテリを電線で結び中間にスイッチと充電するかしないかのランプを備えるターボ高圧送風機一分間に６ｍ３空気体を排気する使い排出径７０ｍｍです
７０ｍｍから排気風速度は約１５０ｋｍですが排気口を３倍にして時速５０ｋｍ秒速８．３ｍに下げて実験し、その後気密容器連結体最後の気密容器排気口と高圧送風機給吸口を通気パイプを使い結び空気体循環を起したところ外に出ている主軸回転が速くなったので充電確認ランプがついた高圧送風機モータが過熱するので水入り気密容器を構作し気密容器を使用したところモータの過熱温度が下がった
気密容器内で起きるアール形羽根付き回転動力エンジンが回り外で発電ができた
【産業上の利用可能性】
【００１１】空気体循環発電は住宅自家発電に活用・太陽光発電と共同でできる
電源開発
【符号の説明】
【００１２】１  気密容器
２  アール形横羽根付き回転動力エンジン風速量を受ける風車
３  気密容器連結体に結ぶツバ
４  気密容器から空気体出口
５  ベアリングユニット
６  回転主軸
７  発電機
８  回転主軸と発電機主軸が噛み合う所
９  気密容器給気口
１０発電機台
１１高圧送風機より空気体受け入口
１２高圧送風機より空気体を水中内排気口
１３気密容器内に空気体の給気口
１４水入り気密容器
１５水入り気密容器内空気泡立を消す金網メッシ
１６水入り気密容器内水量定位置
１７排水バルブ
１８給水バルブ
【図１】
2011252489.tif 000003
【図２】
2011252489.tif 000004
【図３】
2011252489.tif 000005
【図４】
2011252489.tif 000006
【図５】
2011252489.tif 000007
【図６】
2011252489.tif 000008